(57)【要約】【課題】輸液バッグユニット、バイアル瓶ユニット、シリンジユニットを備え、抗がん剤の自動調製をおこなう装置で、輸液バッグの液垂れを解消し、装置高さを低くする。【解決手段】第１回動部１５は、シリンジユニット１１を搭載し、垂直面内で回動し所定角度で停止する。シリンジ１３は、回動中心を通り直径方向に沿った状態で、第１回転部の半径方向外側へ前進後退駆動され、シリンジ１３のプランジャ２３が前進後退駆動される。第２回動部１７は、輸液バッグユニット７を搭載し、輸液バッグ５の針刺し口２１を、リング状の第２回動部１７の内側へ向け、針刺し口２１と反対側を、第２回動部１７の外側へ向けた状態にして、垂直面内で第１回動部１５の回りを同軸に回動し、所定角度で停止する。第１回動部１５と第２回動部１７が所定角度をとり、輸液バッグ５の針刺し口２１へ、またはバイアル瓶３の針刺し部２７へ、前進したシリンジ１３の針２９が届く。【選択図】図１
2015150112.tif 000002
【特許請求の範囲】
【請求項１】
バイアル瓶またはアンプルの薬剤を輸液バッグに移し自動的に調製を行うための抗がん剤等自動調製装置であって、
輸液が入った輸液バッグが装着される輸液バッグユニットと、薬剤の入ったバイアル瓶またはアンプルが装着されるバイアル瓶ユニットと、前記輸液バッグと前記バイアル瓶またはアンプルとの間で、溶液の受け渡しを行うシリンジを装着するシリンジユニットと、前記シリンジユニットを搭載し垂直面内で回動し所定角度で停止する第１回動部と、前記輸液バッグユニットを搭載し垂直面内で前記第１回動部の回りを同軸に回動し所定角度で停止するリング状の第２回動部と、これら第１回動部および第２回動部の回動をおこなう回動駆動部と、この回動駆動部の制御をおこなう回動制御部を備え、
前記輸液バッグユニットは、前記輸液バッグの針刺し口を、リング状の第２回動部の内側へ向け、針刺し口と反対側を、リング状の第２回動部の外側へ向けて、前記輸液バッグの装着をおこなう装着機構を有し、前記シリンジユニットは、装着されたシリンジを前記第１回転部の半径方向外側へ前進後退駆動させ、溶液を吐出または吸引するためシリンジのプランジャを前進後退駆動するシリンジ駆動装置を有し、前記バイアル瓶ユニットは、前記リング状の第２回動部の外側に固定して配置され、前記回動制御部は、前記第２回動部の所定角度として、前記針刺し口が下向きに位置する上方角度、および、上向きに位置する下方角度を選択する制御をおこない、これら選択された各角度に対応し、および前記バイアル瓶ユニットが配置された位置に対応し、前記第１回動部の所定角度を選択する制御をおこなうことを特徴とする抗がん剤等自動調製装置。
【請求項２】
前記シリンジユニットは、シリンジの姿勢を、第１回動部の回転中心を通り、直径方向に沿った状態で、シリンジの装着をおこなう請求項１に記載の抗がん剤自動調製装置。
【請求項３】
前記バイアル瓶ユニットの配置は、バイアル瓶を装着して、バイアル瓶の針刺し部を下にした逆さまの状態で、前記リング状の第２回動部の上方に配置されるものであり、または、バイアル瓶あるいはアンプルを装着して、バイアル瓶の針刺し部、あるいはアンプルの口を上にした状態で、前記リング状の第２回動部の下方に配置されるものであることを特徴とする請求項１、または２に記載の抗がん剤等自動調製装置。
【発明の詳細な説明】
【技術分野】
【０００１】
この発明は、輸液バッグユニット、バイアル瓶ユニット、シリンジユニットを備え、抗がん剤の自動調製をおこなう装置に関する。
【背景技術】
【０００２】
本発明者は既に、下記特許文献１〜３を先行技術として、抗がん剤の調製に関する装置、すなわち、抗がん剤に関する薬剤をシリンジや輸液バッグに導入して作業をおこなう装置について特許出願（特願2013-047434）を行っている。  
そして、本発明者は、上記特許出願にかかる装置を使用して得られた知見として、抗がん剤や他の注射剤等の薬剤を取扱う技術に関する有効な改良技術が得られたので、上記特許出願にかかる装置に機能の追加をおこなう新たな装置として、この特許出願を行う。
【０００３】
上記特許出願にかかる装置においては、360度回転するシリンジユニットの上部に輸液バッグユニットを設置し、下部にバイアル瓶ユニットを設置する。そして、シリンジユニットを介して上部の輸液を下部のバイアル容器に導入する、あるいは下部のバイアル容器内の容液を抜き取って上部の輸液バッグにいれるという操作をおこない、抗がん剤の調製をしていた。
【０００４】
この装置では、バイアル瓶に例えば粉末が含まれ、輸液バッグからシリンジユニットで輸液を一定量取り出したのち、シリンジが１８０度反転し、バイアル瓶に輸液を導入し、撹拌動作を行うことでバイアル瓶内の粉末を完全に溶解したのち、一部または全量を同シリンジに抜取り、再度輸液バッグに戻すという動作を含む一連の調製動作をおこなう。
【先行技術文献】
【特許文献】
【０００５】
【特許文献１】特開平5-282337
【特許文献２】特願2011-87999
【特許文献３】特開2008-253356
【発明の概要】
【発明が解決しようとする課題】
【０００６】
しかしながら、上記特許出願にかかる装置では、輸液バッグユニットが上部に設置され、よって輸液バッグの針刺し口を下向で設置されていることからいくつかの不都合が発生した。
（１）輸液バッグからの液垂れ
上部に設置した輸液バッグから、シリンジ針を刺して一定量の輸液の抜き取る、あるいはさらに、その後に、下部に設置したバイアル瓶のバイアル液を導入するなどの調製動作を行った際、シリンジ針を輸液バッグから抜き取って輸液バッグが静置されている段階で、抜き取った針跡からバッグ内溶液の液垂れが発生することがある。
【０００７】
この液垂れは、針内径を細くすると回避することができるが、内径を細くすると吸引速度が遅くなり、注入や抜取操作に時間がかかるというデメリットが発生する。
シリンジの液垂れは針先が下方を向いて移動するときにはシリンジのプランジャを軽く吸引動作させること等の工夫で、液垂れは防止できる。しかし、輸液バッグからの液垂れは輸液バッグの針刺し口を上面にする方法でしか液垂れを防止することができない。しかし、針刺し口を上面にすると、液面がバッグ下方にあることから輸液バッグ内の液を吸引するには長針が必要で、安全な操作が困難となる。
また、バイアル瓶には毒性のある抗がん剤が含まれており、輸液バッグからの曝露や多種類の調剤を行う際の汚染（クロスコンタミ）を考えると、液垂れは厳しく避けなければならない。
【０００８】
（２）装置高さ
上記特許出願にかかる装置では、バイアル瓶とシリンジユニットおよび輸液バッグが縦一列に並ぶので、装置全高が必然的に高くなり、設置スペースが例えば100ｃｍ高以上を有する装置となる。従って、本装置を設置する安全キャビネットの寸法の全高は当然その高さを考慮したものを選定する必要がある。しかし、病院に通常設置されているキャビネットあるいは市販されている通常のキャビネットでは寸法が不足し、特殊な専用キャビネット内でしか設置できない。
【０００９】
この発明は、以上の問題点を解決するために、輸液バッグの液垂れを解消し、装置高さを低くできる抗がん剤自動調製装置を提供することを目的とする。
【課題を解決するための手段】
【００１０】
以上の課題を解決するために、第一発明は、バイアル瓶またはアンプルの薬剤を輸液バッグに移し自動的に調製を行うための抗がん剤等自動調製装置であって、
輸液が入った輸液バッグが装着される輸液バッグユニットと、薬剤の入ったバイアル瓶またはアンプルが装着されるバイアル瓶ユニットと、前記輸液バッグと前記バイアル瓶またはアンプルとの間で、溶液の受け渡しを行うシリンジを装着するシリンジユニットと、前記シリンジユニットを搭載し垂直面内で回動し所定角度で停止する第１回動部と、前記輸液バッグユニットを搭載し垂直面内で前記第１回動部の回りを同軸に回動し所定角度で停止するリング状の第２回動部と、これら第１回動部および第２回動部の回動をおこなう回動駆動部と、この回動駆動部の制御をおこなう回動制御部を備え、
前記輸液バッグユニットは、前記輸液バッグの針刺し口を、リング状の第２回動部の内側へ向け、針刺し口と反対側を、リング状の第２回動部の外側へ向けて、前記輸液バッグの装着をおこなう装着機構を有し、前記シリンジユニットは、装着されたシリンジを前記第１回転部の半径方向外側へ前進後退駆動させ、溶液を吐出または吸引するためシリンジのプランジャを前進後退駆動するシリンジ駆動装置を有し、前記バイアル瓶ユニットは、前記リング状の第２回動部の外側に固定して配置され、前記回動制御部は、前記第２回動部の所定角度として、前記針刺し口が下向きに位置する上方角度、および、上向きに位置する下方角度を選択する制御をおこない、これら選択された各角度に対応し、および前記バイアル瓶ユニットが配置された位置に対応し、前記第１回動部の所定角度を選択する制御をおこなうことを特徴とする抗がん剤等自動調製装置である。
【００１１】
第二発明は、さらに、前記シリンジユニットは、シリンジの姿勢を、第１回動部の回転中心を通り、直径方向に沿った状態で、シリンジの装着をおこなう抗がん剤自動調製装置である。
第三発明は、さらに、前記バイアル瓶ユニットの配置は、バイアル瓶を装着して、バイアル瓶の針刺し部を下にした逆さまの状態で、前記リング状の第２回動部の上方に配置されるものであり、または、バイアル瓶あるいはアンプルを装着して、バイアル瓶の針刺し部、あるいはアンプルの口を上にした状態で、前記リング状の第２回動部の下方に配置されるものであることを特徴とする抗がん剤等自動調製装置である。
【発明の効果】
【００１２】
第一、第二、又は第三発明によれば、回動制御部は、輸液バッグユニットを搭載する第２回動部の所定角度として、前記針刺し口が下向きに位置する上方角度、および、上向きに位置する下方角度を選択する制御をおこなう。さらに、これら選択された各角度に対応し、およびバイアル瓶ユニットが配置された位置に対応し、シリンジユニットを搭載する第１回動部の所定角度を選択する制御をおこなう。
【００１３】
これらにより、シリンジ針を輸液バッグに刺す際には、輸液バッグは針刺し口を下向きに位置する上方角度とすることによってシリンジ針が液面より下部位置にくるため、バッグ内輸液をシリンジに移送することができ、その後、シリンジ針を抜き取った状態の輸液バッグは、針刺し口が上向きに位置する下方角度に静置することによって液面が針刺し口より下部にくるため輸液バッグからの液垂れを解消できる（課題（１））。
【００１４】
また、針刺し口が下向きに位置する上方角度は、針刺し口が真下向きではなく、斜め下向きとすることができる。また、針刺し口が上向きに位置する下方角度は、針刺し口が真上向きではなく、斜め上向きとすることができる。
これらにより、シリンジユニットに対して、輸液バッグが斜めになる範囲で、制御をおこなうことができ、よって、シリンジユニットと輸液バッグが縦一列に並ぶことを避けられるので、装置全高を低くできる（課題（２））。
第二、又は第三発明によれば、さらに、シリンジの姿勢は、第１回動部の回転中心を通り、直径方向に沿った状態となるので、第２回動部の輸液バッグ針刺し口位置角度に第１回動部のシリンジ取付角度を一致させることで、針刺し口を第２回動部の内側へ向け、針刺し口と反対側を第２回動部の外側へ向けた輸液バッグに対して、針刺し口への針の狙いが付けやすい。また、回動部の回転速度を同期させることで針刺しの状態で上方角度から下方角度まで移動した後、針を抜き取ることが可能となるので、輸液バッグからの液垂れを、より解消できる（課題（１））。
【図面の簡単な説明】
【００１５】
【図１】この発明の一実施形態を示す装置の正面図である。動作の一部を点線で示してある。
【図２】図１において一部を透視して回転部を示す透視正面図である。
【図３】図１の縦断面図である。
【図４】図１の動作を示すもので、第１回動部はバイアル瓶ユニットが配置された上方位置に対応し、シリンジユニットはプランジャを前進させシリンジを後退させた状態の正面図である。第２回動部は輸液バッグの針刺し口を下向きに位置する上方角度に位置する。
【図５】図１の動作を示すもので、第１回動部はバイアル瓶ユニットが配置された上方位置に対応し、シリンジユニットはプランジャを後退させた状態の正面図である。第２回動部は輸液バッグの針刺し口を下向きに位置する上方角度であり
【図６】図１の動作を示すもので、第２回動部は輸液バッグの針刺し口を下向きに位置する上下方角度であり、この角度に第１回動部は対応し、シリンジユニットはシリンジを前進させ針刺しをおこない、プランジャを後退させた状態の正面図である。
【図７】図１の動作を示すもので、第２回動部は輸液バッグの針刺し口を上向きに位置する下方角度であり、この角度に第１回動部は対応し、シリンジユニットはシリンジを前進させ針刺しをおこないプランジャを前進させた状態の正面図である。
【図８】この発明の他の実施形態を示す装置の正面図である。動作の一部を点線で示してある。
【発明を実施するための形態】
【００１６】
この発明の実施形態を、図１〜図７に示す。
＜概略＞
図１に示すように、この実施形態にかかる抗がん剤等自動調製装置１は、バイアル瓶３の薬剤を輸液バッグ５に移し自動的に抗がん剤の調製を行うための抗がん剤自動調製装置である。輸液バッグユニット７には輸液バッグ５が装着される。バイアル瓶ユニット９には、バイアル瓶３が装着される。シリンジユニット１１には、輸液バッグユニット７とバイアル瓶３との間で溶液の受け渡しをおこなうシリンジ１３が装着される。
【００１７】
第１回動部１５は、シリンジユニット１１を搭載し、垂直面内で回動し、所定角度で停止する。第２回動部１７は、輸液バッグユニット７を搭載し、垂直面内で第１回動部１５の回りを同軸に回動し、所定角度で停止する。この第２回動部１７は、正面には、薄いリング状として、露出する。回動駆動部１９は、これら第１回動部１５および第２回動部１７の回動をおこなう。図示しない回動制御部は、この回動駆動部１９の制御をおこなう。
【００１８】
輸液バッグユニット７は、輸液バッグ５の針刺し口２１を、リング状の第２回動部１７の内側へ向け、針刺し口２１と反対側を、リング状の第２回動部１７の外側へ向けた状態で、輸液バッグ５の装着をおこなう装着機構を有する。
シリンジユニット１１は、シリンジ１３の姿勢を、第１回動部１５の回転中心を通り、直径方向に沿った状態で、シリンジ１３の装着をおこなう。また、図３に示すように、装着されたシリンジ１３を第１回動部１５の回動半径方向外側へ前進後退駆動させ、溶液を吐出または吸引するためシリンジ１３のプランジャ２３を前進後退駆動するシリンジ駆動装置２５を有する。
【００１９】
バイアル瓶ユニット９は、リング状の第２回動部１７の外側に固定して配置され、バイアル瓶３を装着して、バイアル瓶３の針刺し部２７を下にした逆さまの状態で、リング状の第２回動部１７の上方に配置される。また、バイアル瓶ユニットを横方向に移動できるようにすると、図示されているように複数本のバイアル瓶を同時に処置することができる。
回動制御部は、第２回動部１７の所定角度として、針刺し口２１が前記輸液バッグ５の上方に位置する上方角度、および、下方に位置する下方角度を選択する制御をおこなう。また、これら選択された各角度に対応し、およびバイアル瓶ユニット９の位置に対応し、第１回動部１５の所定角度を選択する。
【００２０】
第１回動部１５の所定角度において、輸液バッグ５の針刺し口２１へ、またはバイアル瓶３の針刺し部２７へ、前進した状態のシリンジ１３の針２９が届く。
【００２１】
＜輸液バッグ５＞
図１に示すように、輸液バッグ５は、医療における通常の使用では、ゴム栓とも呼ばれる針刺し口２１を下にし、その状態で上端にある、バッグ容器の縁部の孔３１を、ハンガーに係止し吊り下げて使用する。
【００２２】
＜輸液バッグユニット７＞
図１に示すように、輸液バッグユニット７は、輸液バッグ５の針刺し口２１を、リング状の第２回動部１７の内側へ向け、針刺し口２１と反対側を、リング状の第２回動部１７の外側へ向けた姿勢で、輸液バッグ５の装着をおこなう装着機構３３を有する。
【００２３】
この装着機構３３は、輸液バッグ５の針刺し口２１に、針刺し口保持具３５を取付けて、この針刺し口保持具３５を第２回動部１７の後述する外輪３７に、ネジ構造により固定する。ネジ構造は、保持具３５の円筒状の縁部に形成される。この固定により、針刺し口２１は、第２回動部１７の半径方向内側へ向く。
【００２４】
この固定をおこなう部位の近くには、バッグポール３９が第２回動部１７の半径方向の外側へ突出して設けられる。輸液バッグ５の反対側にある係止用の孔３１を、バッグポール３９に取付けたスプリング４１（図４〜７参照）に係止し、スプリング４１で引張りながら、輸液バッグ５の姿勢を維持する。スプリング４１で引張ることで、針刺し口２１に、輸液バッグ５の重量の負担がかからないようにできる。また、このスプリング４１は、バッグポール３９に設けた回転可能な金具によって取付けられ、針刺し口保持具をネジ構造により回転して固定する際に、回転に輸液バッグ５が追随できる。また、スプリング４１を取付けるスライド金具（図示せず）を、バッグポール３９の任意の位置に移動させることで、任意の容量（大きさ）の輸液バッグに対応でき、輸液バッグの支持が可能となる。装着機構３３にはモータ駆動で保持具３５を一定の任意角度で回転させる機構を構築することで、同じ位置での繰り返しの針刺しを防止できる。
【００２５】
＜シリンジユニット１１＞
シリンジユニット１１は、第１回動部１５に搭載される。シリンジユニット１１はシリンジ１３の姿勢を、第１回動部１５の回転中心を通り、直径方向に沿った状態で保持して、シリンジ１３の装着をおこなう。
【００２６】
シリンジユニット１１は、装着されたシリンジ１３を第１回転部の半径方向外側へ前進後退駆動させる。また、溶液を吐出または吸引するためシリンジ１３のプランジャ２３を前進後退駆動する。
図３に示すように、これらの駆動は、シリンジ駆動装置２５によって行なわれる。
シリンジ駆動装置２５において、プランジャ２３の前進後退駆動は、以下のプランジャ前進後退機構４３により、おこなわれる。すなわち、シリンジ１３の本体４５をシリンジ支持台４７が固定して支持し、プランジャ２３の後端を把持する把持部４９が、円筒状の第１スライダ５１に連続する。この第１スライダ５１は、円筒状部分５３の内周にギヤ(メネジ)が形成され、内部を貫通する長い第１ロッド５５の外周に形成されたギヤ(オネジ)に噛み合う。第１ロッド５５は軸回りに回転可能に支持され、一端にはタイミングプーリ５７が設けられて、タイミングベルト５９を介して、モータ６１の回転軸に取り付けられたタイミングプーリ６２との間で、このモータ６１の回転力が伝えられる。
【００２７】
シリンジ駆動装置２５において、シリンジ１３の前進後退駆動は、以下のシリンジ前進後退機構６３により、おこなわれる。すなわち、上述のプランジャ前進後退機構４３のフレーム６５を前後にスライド可能に支持する第２スライダ６７は、円筒状部分６８の内周にギヤ(メネジ)が形成され、内部を貫通する長い第２ロッド６９の外周に形成されたギヤ(オネジ)に噛み合う。第２ロッド６９は軸回りに回転可能に支持され、一端にはタイミングプーリ７０が設けられて、タイミングベルトを介して、図示しないモータ（図３中の背面に隠れる）の回転軸に取り付けられた図示しないローラとの間で、このモータの回転力が伝えられる。
【００２８】
シリンジユニット１１の近傍に、第１回動部１５に、通気針駆動部７１が搭載される。この通気針駆動部７１は、バイアル瓶ユニット９が第１回動部の下部にあって、バイアル瓶３から液を抜き取る際に、バイアル瓶３の内部が負圧になって抜取が困難となるのを防止するために空気を供給するためのものであり、バイアル瓶３内に、この通気針駆動部７１の針７２が貫通する動作が行われる。通気針駆動部７１はバイアル瓶３に液を導入する際、あるいはバイアル瓶ユニットが第１回動部上部にある場合も使用することが可能であるが、特に必要性は生じない。
【００２９】
＜バイアル瓶ユニット９＞
バイアル瓶ユニット９は、第２回動部１７の外側で真上あるいは真下に固定して配置され、バイアル瓶３が装着される。図示されている真上の場合、この装着は、バイアル瓶３の針刺し部２７を下にした逆さまの状態で装着爪によっておこなわれる。バイアル瓶ユニット９は、スライドレール７３の上に複数が装着される。真上に設置するバイアル瓶ユニットは撹拌不要の液体試料が含まれる場合に使用される。
【００３０】
＜第１回動部１５＞
第１回動部１５は、シリンジユニット１１を搭載し、垂直面内で回動し、所定角度で停止する。
図２，図３に示すように、第１回動部１５は、シリンジユニット１１が搭載される円盤状のターンテーブル７７の外周に形成される内輪７９が、円周方向の複数箇所に設けられる内輪支柱８１に接続される。これら複数の内輪支柱８１は、中央に孔の開いた内接続板８３の外周部に接続される。この内接続板８３の孔の周囲は、インナーシャフト８５の先端に接続される。このインナーシャフト８５は、固定して設けられるセンターシャフト８７の外周で、回転自在に支持される。センターシャフト８７は装置フレーム８９に固定される。
【００３１】
このインナーシャフト８５の後端は、リング状の内ウオームホイール９１の内周部に接続される。内ウオームホイール９１の外周部に形成されたギヤ９３は、内ウオームネジ９５に噛み合う。この内ウオームネジ９５にはタイミングプーリ９４が設けられて、ベルト９８を介して、内モータ９７の回転軸に取り付けられたタイミングプーリ９６との間で、この内モータ９７の回転力が伝えられる。このうち内ウオームネジ９５、内モータ９７は装置フレーム８９に設けられる。
【００３２】
＜第２回動部１７＞
第２回動部１７は、輸液バッグユニット７を搭載し、垂直面内で第１回動部１５の回りを同軸に回動し、所定角度で停止する。第２回動部１７は、装置１の上表面には、薄いリング状として、露出する。
【００３３】
図３に示すように、第２回動部１７は、輸液バッグユニット７が搭載される外輪３７が、上記内輪７９の外側近傍に、同軸に位置し、円周方向の複数箇所に設けられる外輪支柱９９に接続される。これらの外輪支柱９９は、上記内輪支柱８１の外側近傍に位置する。これら複数の外輪支柱９９は、中央に孔の開いた外接続板１０１の外周部に接続される。この外接続板１０１は、上記内接続板８３の後側近傍に位置する。この外接続板１０１の孔の周囲は、アウターシャフト１０３の先端に接続される。このアウターシャフト１０３は、上記インナーシャフト８５の外側近傍に位置する。
【００３４】
このアウターシャフト１０３の後端は、リング状の外ウオームホイール１０５の内周部に接続される。この外ウオームホイール１０５は、内ウオームホイール９１の前側近傍に位置する。外ウオームホイール１０５の外周部に形成されたギヤ１０６は、外ウオームネジ１０７に噛み合う。この外ウオームネジ１０７にはタイミングプーリ１０８が設けられて、ベルト１１０を介して、外モータ１０９の回転軸に取り付けられたタイミングプーリ１１２との間で、この外モータ１０９の回転力が伝えられる。このうち外ウオームネジ１０７、外モータ１０９は装置フレーム８９に設けられる。
【００３５】
なお、内接続板８３と外接続板１０１、内ウオームホイール９１と外ウオームホイール１０５、内モータ９７と外モータ１０９など、多くの部材が内外で共通したものが使用され、製造コストや保守点検に有利である。また、共通するモータを使用することで、制御が容易におこなわれる。
さらに、第１回動部１５および第２回動部１７を構成するこれらの内外の機構は、互いに機械的に分離されているので、異なった回転動作を、独立して行うことができる。
【００３６】
＜回動制御部＞
図示しない回動制御部は、第２回動部１７の所定角度として、針刺し口２１が輸液バッグ５の上方に位置する上方角度、および、下方に位置する下方角度を選択する制御をおこなう。また、これら選択された各角度に対応し、およびバイアル瓶ユニット９の位置に対応し、第１回動部１５の所定角度を選択する制御をおこなう。これら２つの回動部の制御は、別々に、あるいは同期させて回転動作をさせる制御ができる。
【００３７】
また、シリンジユニット１１やバイアル瓶ユニット９の制御をおこなう。
これらの制御により、後述する「実施形態の作用」に説明する自動調製を実行する（１）〜（８）の動作を可能にする。
【００３８】
「実施形態の作用」
この実施形態の装置によれば、第１回動部１５を構成するターンテーブル７７は、シリンジユニット１１を搭載して、輸液バッグユニット７とバイアル瓶ユニット９との間を回動し、最大回動時に真上と真下の180度の範囲で回動できる。
第２回動部１７を構成する外輪３７は、輸液バッグユニット７を搭載して、回動できる。この実施形態では図１の正面図に点線で示すように、装置の左側部において、回動をおこなう。
これらの回動により、シリンジユニット１１のシリンジ１３の姿勢、または輸液バッグユニット７の輸液バッグ５の姿勢は、真横の姿勢を０度として、シリンジ１３の針２９、輸液バッグ５の針刺し口２１の位置が、上方に位置する、たとえば、+30度程度の位置を上方角度とする。同様に、下方に位置する、たとえば、−30度程度の位置を下方角度とする。
【００３９】
上方角度、下方角度では、シリンジ１３の針２９、輸液バッグ５の針刺し口２１は、斜めを向く。上方角度では、輸液バッグ５は、針刺し口２１が下向きに位置し、いわば斜め正立状態となる。下方角度では、針刺し口２１が上向きに位置し、いわば斜め倒立状態となる。
【００４０】
実際に制御で選択される上方角度、下方角度は、０度から＋30度の範囲、０度から−30度の範囲で、任意に選択できる。最適な角度は輸液バッグ５の形状、容量によって決定される。また下方角度は0度付近でも装置を動作させることはできる。
図４〜図７に示すように、この実施形態における抗がん剤の自動調製は次の動作で実行される。ここでは一例として液体の入ったバイアル瓶からシリンジで一定量を抜取って、輸液バッグに導入する操作について説明する。
【００４１】
（１）まず、図４に示すように、第２回動部１７は、図１実線の状態から、輸液バッグ５の針刺し口２１を下向きに位置する上方角度へ回動する。シリンジユニット１１はシリンジ１３を前進させバイアル瓶の針刺し部２７に針刺しをおこない、その後に、図５に示すようにプランジャ２３を後退させ一定量のバイアル輸液を吸引し抜き取る。
【００４２】
（２）次にシリンジ１３は後退し、第１回動部１５は第２回動部の上方角度に回動する。
（３）そして、図６において、シリンジユニット１１はシリンジ１３を前進させ輸液バッグ５に針２９を挿入し、その後に、プランジャ２３を前進させ一定量の輸液を吐出する。
（４）プランジャ２３の前進と後退を数回繰り返し、シリンジ１３の全量の液を吐出させ、生食液でシリンジ１３内部の洗浄をおこなう。
（５）次に、図６の状態から第１回動部と第２回動部の回転を同期させることで、同じ角度へ同時に移動させ、針刺しの状態を保ったまま第２回動部を下方角度に移動させ図７の状態にする。
（６）プランジャ２３の前進と後退を数回繰り返し、シリンジ１３の全量の液を吐出させるとともにシリンジ１３内部の空気パージをおこなう。その後にシリンジプランジャを押し切った状態でシリンジ１３は後退し、シリンジ針を抜き取る。
【００４３】
「実施形態の効果」
「１」この実施形態の装置によれば、図６に示すように、シリンジ針を輸液バッグ５に刺す際には、輸液バッグ５は針刺し口２１を下向きに位置する上方角度とすることができ、通常の吸引ができるとともに、シリンジ内の溶液を輸液バッグに戻すこともできる。（シリンジ液を輸液内に戻すことによって薬液が混合される際の泡立ちを防ぐことができる）さらに、輸液バッグは図７にしめすように、針刺し口を上向きに位置する下方角度位置に移動して静置させることで、輸液バッグ５からの液垂れを解消できる（課題（１））。
また、輸液バッグを移動させる際、第１回動部と第２回動部の回転を同期させることで、シリンジユニットは針先を輸液バッグに挿入された状態を保ったまま、輸液バッグと同じ速度で下方角度位置まで移動する。このことで、シリンジに取付けられている針先からの液垂れも解消ができる（課題（１））。
【００４４】
「２」また、図４〜図６に示すように、針刺し口２１が下向きに位置する上方角度は、針刺し口２１が真下向きではなく、斜め下向きとすることができる。また、図７に示すように、針刺し口２１が上向きに位置する下方角度は、針刺し口２１が真上向きではなく、斜め上向きとすることができる。すなわち、上方角度、下方角度は、０度から＋30度の範囲、０度から−30度の範囲で、選択できる。
【００４５】
これらにより、シリンジユニット１１に対して、輸液バッグ５が斜めになる範囲で、制御をおこなうことができ、よって、シリンジユニット１１と輸液バッグ５が縦一列に並ぶことを避けられるので、装置全高を低くできる（課題（２））。
「３」図６に示すようにシリンジ１３内部の洗浄を輸液バッグ５の中でおこなえ、図７に示すように空気パージによるシリンジ１３内部の洗浄を輸液バッグ５の中でおこなえ、外部に液や空気をさらすことがないので、抗がん剤のうち、毒性ガスを含む溶液が発生するものも、安全に自動調製することができる。
【００４６】
「４」輸液バッグ５の針刺し口２１は装着機構３３に格納されるモータで一定角度でずらしながら挿入位置を細かく変えていく制御をおこなうことで、繰り返し針刺しを行っても同じ位置での針刺しを回避することができる。
「５」シリンジ１３の姿勢は、第１回動部１５の回転中心を通り、直径方向に沿った状態となり、針２９は直径方向外側を向く。そして、輸液バッグ５は、針刺し口２１を第２回動部１７の内側へ向け、針刺し口２１と反対側を第２回動部１７の外側へ向ける。よって、輸液バッグ５の針刺し口２１へ、シリンジ１３の針２９の狙いが付けやすい。
【００４７】
「他の実施形態」
１）以上の実施形態では、バイアル瓶ユニット９の配置は、バイアル瓶３を装着して、バイアル瓶３の針刺し部２７を下にした逆さまの状態で、第２回動部１７の上方に配置されるものであったが、他の実施形態では、バイアル瓶３あるいはアンプルを装着して、バイアル瓶３の針刺し部２７、あるいはアンプルの口を上にした状態で、第２回動部１７の下方に配置されるものであってもよい。下方に配置されることで、口が開放されているアンプルの装着もが可能になる。
例えば、図８に示すように、バイアル瓶３を装着して、バイアル瓶３の針刺し部２７を上にした状態で、第２回動部１７の下方に配置し、下方に設置される撹拌機構７５を用いてバイアル瓶３に輸液を導入した後にバイアル瓶ユニット９に撹拌動作を行わせることができる。
つまり、下方のバイアル瓶ユニット９に粉末のバイアル瓶３を設置し、
（１）上方位置の輸液バッグ５から一定量の輸液をシリンジ１３で抜き取る。
（２）シリンジ針２９は下方にあるバイアル瓶３に挿入され、輸液が導入される。
（３）バイアル瓶３が搭載されているラック（図示せず）が撹拌機構７５によって撹拌され、粉末を溶解する。
（４）通気針駆動部７２が下降し、通気針７１がバイアル瓶３に挿入され、バイアル瓶３の溶液がシリンジで全量、あるいは任意の量が抜き取られる。
（５）シリンジ針及び通気針がバイアルから抜き取られ、シリンジ針２９は上方位置の輸液バッグに挿入され溶液を輸液バッグ５に吐出する
（６）シリンジ１３が吐出と吸引を繰り返しシリンジ１３の洗浄を行う。
（７）針刺し状態のまま輸液バッグ５とシリンジ１３が同時に下方位置に移動する
（８）シリンジ１３が吐出と吸引を繰り返し空気パージによるシリンジ洗浄を行う。
（９）最後にシリンジプランジャ２３を押し切った状態でシリンジ針２９を抜き取る。
以上、（５）〜（９）は前述の操作と同様であるが、（１）〜（４）の操作を追加することで、粉末剤の調製が可能となる。
【００４８】
また、さらに他の実施形態では、バイアル瓶３を装着して、バイアル瓶３の針刺し部２７を横向きにした状態で、第２回動部１７の側方に配置されるものであってもよい。
２）以上の実施形態では、シリンジユニット１１は、シリンジ１３の姿勢を、第１回動部１５の回転中心を通り、直径方向に沿った状態で保持するものであったが、他の実施形態では、必ずしも、そのような姿勢でなくても良い。例えば、図中の通気針駆動部７１のように、第１回動部１５の回転中心を通らず、直径方向に沿った状態でなくても良い。すなわち、第２回動部１７に搭載される輸液バッグ５の針刺し口２１へ、またはバイアル瓶３の針刺し部２７へ、前進した状態のシリンジ１３の針２９が届く角度を、選択できれば、構わない。
【００４９】
３）以上の実施形態では、抗がん剤の調製をおこなう自動調製装置であったが、他の実施形態では、抗がん剤でなく、小児用処方箋薬あるいは麻酔剤などの調剤にも使用できる。その場合にも、輸液バッグ５の液垂れを解消し、装置高さを低くできることは発明の技術的な効果として有意義である。
【符号の説明】
【００５０】
１…剤等自動調製装置、
３…バイアル瓶、
５…輸液バッグ、
７…輸液バッグユニット、
９…バイアル瓶ユニット、
１１…シリンジユニット、
１３…シリンジ、
１５…第１回動部、
１７…第２回動部、
１９…回動駆動部、
２１…針刺し口、
２３…プランジャ、
２５…シリンジ駆動装置、
２７…針刺し部、
２９…針、
３１…孔、
３３…装着機構、
３５…保持具、
３７…外輪、
３９…バッグポール、
４１…スプリング、
４３…プランジャ前進後退機構、
４５…シリンジの本体、
４７…シリンジ支持台、
４９…把持部、
５１…第１スライダ、
５３…円筒状部分、
５５…第１ロッド、
５７…タイミングプーリ、
５９…タイミングベルト、
６１…モータ、
６３…シリンジ前進後退機構、
６５…フレーム、
６７…第２スライダ、
６９…第２ロッド、
７０…タイミングプーリ
７１…通気針駆動部、
７２…通気針
７３…スライドレール、
７５…撹拌機構、
７７…ターンテーブル、
７９…内輪、
８１…内輪支柱、
８３…内接続板、
８５…インナーシャフト、
８７…センターシャフト、
８９…装置フレーム、
９１…内ウオームホイール、
９３…ギヤ、
９５…内ウオームネジ、
９７…内モータ、
９９…外輪支柱、
１０１…外接続板、
１０３…アウターシャフト、
１０５…外ウオームホイール、
１０７…外ウオームネジ、
１０９…外モータ、
【図１】
2015150112.tif 000003
【図２】
2015150112.tif 000004
【図３】
2015150112.tif 000005
【図４】
2015150112.tif 000006
【図５】
2015150112.tif 000007
【図６】
2015150112.tif 000008
【図７】
2015150112.tif 000009
【図８】
2015150112.tif 000010